(57)【要約】【課題】ユーザーに対して安全性を確保して程よい掛け心地・程よいフィット感を提供するとともに、様々なケース・場合に対応することができ、ユーザーが眼鏡を長時間装着し続けた場合であっても痛みなどストレスを殆ど感じることがないようにする眼鏡を提供する。【解決手段】眼鏡１００は、レンズとフロントフレーム１２０とテンプル１３０とモダンとを備え、フロントフレーム１２０が、レンズよりフレーム幅方向外側のヨロイ１２２からテンプル側へ突出した筒状部１２４を有し、テンプル１３０が、モダン側と反対側である基部側１３０ａ先端に弾性部材（１３１）を有し、テンプルの弾性部材が、筒状部の内部に挿通された状態でフロントフレーム側と接続され、テンプルの基部側の一部が、筒状部の内部に入っているとともに、筒状部の内部に入っているテンプルの基部側の一部の外周側と筒状部の内周側との間に隙間Ｄが形成されている構成である。【選択図】図２
0003222217.tif 000002
【実用新案登録請求の範囲】
【請求項１】
レンズとフロントフレームとテンプルとモダンとを備えた眼鏡であって、
前記フロントフレームが、レンズよりフレーム幅方向外側のヨロイからテンプル側へ突出した筒状部を有し、
前記テンプルが、モダン側と反対側である基部側先端に弾性部材を有し、
前記テンプルの弾性部材が、フロントフレームの筒状部の内部に挿通された状態でフロントフレーム側と接続され、テンプルの基部側の一部が、フロントフレームの筒状部の内部に入っているとともに、フロントフレームの筒状部の内部に入っているテンプルの基部側の一部の外周面とフロントフレームの筒状部の内周面との間に隙間が設けられている構成であることを特徴とする眼鏡。
【請求項２】
前記弾性部材が、コイルばねであり、
前記コイルばねの一端側が、フロントフレームと接続され、
前記コイルばねの他端側が、テンプルの基部側と接続されている構成であることを特徴とする請求項１に記載の眼鏡。
【請求項３】
前記コイルばねの一端側に設けられた先端ねじ部が、フロントフレームのヨロイと螺合している構成であることを特徴とする請求項２に記載の眼鏡。
【請求項４】
前記コイルばねの一端側が、フロントフレームと接続され、
前記筒状部が、フロントフレームのヨロイと螺合している構成であることを特徴とする請求項２に記載の眼鏡。
【請求項５】
レンズとフロントフレームとテンプルとモダンとを備えた眼鏡であって、
前記フロントフレームが、レンズよりフレーム幅方向外側のヨロイからテンプル側へ突出した棒状突部と、棒状突部の先端側に設けられた弾性部材とを有し、
前記テンプルが、モダン側と反対側である基部側先端に筒状部を有し、
前記弾性部材が、前記筒状部の内部に挿通された状態でテンプル側と接続され、棒状突部の少なくとも一部が、筒状部の内部に入っているとともに、筒状部の内部に入っている棒状突部の外周面と筒状部の内周面との間に隙間が設けられている構成であることを特徴とする眼鏡。
【請求項６】
前記弾性部材が、前記筒状部の内部において並列関係で複数設けられている構成であることを特徴とする請求項１乃至請求項５のいずれか１つに記載の眼鏡。
【考案の詳細な説明】
【技術分野】
【０００１】
本考案は、レンズとフロントフレームとテンプルとモダンとを備えた眼鏡に関する。
【背景技術】
【０００２】
従来、フロント枠両側のエンドピースと左右テンプルとがそれぞれヒンジを介さずに連結され、左右テンプルの基端側に、それぞれ内側に向けて半円状に湾曲した板ばね部が設けられているヒンジレス眼鏡フレームが知られている（例えば、特許文献１）。
【先行技術文献】
【特許文献】
【０００３】
【特許文献１】特開２０１７−１２２８６３号公報（特に、図１、請求項１参照）
【考案の概要】
【考案が解決しようとする課題】
【０００４】
しかしながら、上述した従来のヒンジレス眼鏡フレームは、左右テンプルに板ばね部を用いて、ユーザーが眼鏡を装着した際に、左右テンプルが内側のみに付勢力を発生させるとともに、内外方向のみに移動する構造であったため、ユーザーの顔の縦方向や前後方向に負荷・外力が発生したなど様々なケース・場合に対応することが困難であり、ユーザーが眼鏡を長時間装着し続けた場合に痛みなどストレスを感じるという問題があった。
さらに、装着時において半円状に湾曲した板ばね部がユーザーの目尻に極めて接近する構造であったため、負荷・外力が発生したケース・場合に、板ばね部が眼と接触するリスクがあり、眼の保護の観点で問題があった。
【０００５】
そこで、本考案は、前述したような従来技術の問題を解決するものであって、すなわち、本考案の目的は、ユーザーに対して安全性を確保して程よい掛け心地・程よいフィット感を提供するとともに、様々なケース・場合に対応することができ、ユーザーが眼鏡を長時間装着し続けた場合であっても痛みなどストレスを殆ど感じることがないようにする眼鏡を提供することである。
【課題を解決するための手段】
【０００６】
本請求項１に係る考案は、レンズとフロントフレームとテンプルとモダンとを備えた眼鏡であって、前記フロントフレームが、レンズよりフレーム幅方向外側のヨロイからテンプル側へ突出した筒状部を有し、前記テンプルが、モダン側と反対側である基部側先端に弾性部材を有し、前記テンプルの弾性部材が、フロントフレームの筒状部の内部に挿通された状態でフロントフレーム側と接続され、テンプルの基部側の一部が、フロントフレームの筒状部の内部に入っているとともに、フロントフレームの筒状部の内部に入っているテンプルの基部側の一部の外周面とフロントフレームの筒状部の内周面との間に隙間が設けられている構成であることにより、前述した課題を解決するものである。
【０００７】
本請求項２に係る考案は、請求項１に記載された眼鏡の構成に加えて、前記弾性部材が、コイルばねであり、前記コイルばねの一端側が、フロントフレームと接続され、前記コイルばねの他端側が、テンプルの基部側と接続されている構成であることにより、前述した課題をさらに解決するものである。
【０００８】
本請求項３に係る考案は、請求項２に記載された眼鏡の構成に加えて、前記コイルばねの一端側に設けられた先端ねじ部が、フロントフレームのヨロイと螺合している構成であることにより、前述した課題をさらに解決するものである。
【０００９】
本請求項４に係る考案は、請求項２に記載された眼鏡の構成に加えて、前記コイルばねの一端側が、フロントフレームと接続され、前記筒状部が、フロントフレームのヨロイと螺合している構成であることにより、前述した課題をさらに解決するものである。
【００１０】
本請求項５に係る考案は、レンズとフロントフレームとテンプルとモダンとを備えた眼鏡であって、前記フロントフレームが、レンズよりフレーム幅方向外側のヨロイからテンプル側へ突出した棒状突部と、棒状突部の先端側に設けられた弾性部材とを有し、前記テンプルが、モダン側と反対側である基部側先端に筒状部を有し、前記弾性部材が、前記筒状部の内部に挿通された状態でテンプル側と接続され、棒状突部の少なくとも一部が、筒状部の内部に入っているとともに、筒状部の内部に入っている棒状突部の外周面と筒状部の内周面との間に隙間が設けられている構成であることにより、前述した課題を解決するものである。
【００１１】
本請求項６に係る考案は、請求項１乃至請求項５のいずれか１つに記載された眼鏡の構成に加えて、前記弾性部材が、前記筒状部の内部において並列関係で複数設けられている構成であることにより、前述した課題をさらに解決するものである。
【考案の効果】
【００１２】
本考案の眼鏡は、レンズと、フロントフレームと、テンプルと、モダンとを備えていることにより、ユーザーが眼鏡を装着することができるばかりでなく、以下のような特有の効果を奏することができる。
【００１３】
本請求項１に係る考案の眼鏡によれば、ユーザーが眼鏡を装着した状態では、一対のテンプルまたはモダンがユーザーの側頭部と接触して外側へ押され、一対のテンプルが隙間の範囲内で基部側を揺動中心にするように外側へ移動するとともに弾性部材が適度に弾性変形して適度な付勢力が発生するため、ユーザーに対して程よい掛け心地・程よいフィット感を提供することができる。
また、筒状部が眼に向かってではなくモダン側に延設されているため、眼に対する安全性を確保することができる。
さらに、一対のテンプルが基部側を揺動中心とするようにしてそれぞれフレーム幅方向外側だけでなくフレーム上下方向および内側も含む３６０度全方位に移動自在となるため、様々なケース・場合に対応することができ、ユーザーが眼鏡を長時間装着し続けた場合であっても痛みなどストレスを殆ど感じることがないようにすることができる。
例えば、ユーザーが走ったり頭部の向きを急に変えたりなどした際、通常はテンプルを介してユーザーの側頭部へ作用する力が瞬間的に大きくなるが、一対のテンプルが隙間の範囲内で基部側を揺動中心にするように移動するとともに弾性部材が弾性変形するため、ユーザーの側頭部へ作用する力を時間的に分散することができる。
また、一対のテンプルはヨロイとモダンとを結ぶ前後方向へも弾性部材の弾性変形量の範囲内で移動自在なため、モダンがユーザーの耳の後ろ側との接触箇所および鼻パッドとの接触箇所に対して作用する力をも時間的に分散することができる。
【００１４】
本請求項２に係る考案の眼鏡によれば、請求項１に係る考案が奏する効果に加えて、コイル状の形状によって弾性変形したときの付勢力が一対のテンプルがそれぞれフレーム幅方向外側だけでなくフレーム上下方向および内側も含む３６０度全方位において略均等になるため、ユーザーに対する程よい掛け心地・程よいフィット感を簡単に実現することができる。
さらに、ヨロイとモダンとを結ぶ前後方向へ適度に伸びるように弾性変形自在となるため、特にユーザーの耳の後ろ側との接触箇所および鼻パッドとの接触箇所における掛け心地・程よいフィット感を簡単に実現することができる。
【００１５】
本請求項３に係る考案の眼鏡によれば、請求項２に係る考案が奏する効果に加えて、テンプルを中心軸としてテンプルを時計方向または反時計方向へ回すことによってテンプルの基部側がフロントフレームの筒状部の内部に入る量（長さ）が変化するとともにテンプルが揺動する際の筒状部に対する相対的な揺動中心の位置も変化するため、テンプルの可動範囲を広くしたり狭くしたり調整することができる。
例えば、テンプルを回して螺合を緩めるとテンプルが揺動する際の筒状部に対する相対的な揺動中心の位置が筒状部入り口に近づくように移動して浅くなってテンプルの可動範囲が広くなり、マイルド（ルース）なフィット感にすることができる。
他方、テンプルを回して螺合を締めるとテンプルが揺動する際の筒状部に対する相対的な揺動中心の位置が筒状部入り口から離れるように移動して深くなってテンプルの可動範囲が狭くなり、少々タイトなフィット感にすることができる。
【００１６】
本請求項４に係る考案の眼鏡によれば、請求項２に係る考案が奏する効果に加えて、筒状部を時計方向または反時計方向へ回すことによってテンプルの基部側が筒状部の内部に入る量（長さ）が変化するとともにテンプルが揺動する際の筒状部に対する相対的な揺動中心の位置も変化するため、テンプルの可動範囲を広くしたり狭くしたり調整することができる。
例えば、筒状部を回して螺合を緩めるとテンプルが揺動する際の筒状部に対する相対的な揺動中心の位置が筒状部入り口から離れるように移動して深くなってテンプルの可動範囲が狭くなり、少々タイトなフィット感にすることができる。
他方、筒状部を回して螺合を締めるとテンプルが揺動する際の筒状部に対する相対的な揺動中心の位置が筒状部入り口に近づくように移動して浅くなってテンプルの可動範囲が広くなり、マイルド（ルース）なフィット感にすることができる。
【００１７】
本請求項５に係る考案の眼鏡によれば、請求項１に係る考案が奏する効果と同様、ユーザーが眼鏡を装着した状態では、一対のテンプルまたはモダンがユーザーの側頭部と接触して外側へ押され、一対のテンプルが隙間の範囲内で棒状突部の先端近傍を揺動中心にするように外側へ移動するとともに弾性部材が適度に弾性変形して適度な付勢力が発生するため、ユーザーに対して程よい掛け心地・程よいフィット感を提供することができる。
また、棒状突部が眼に向かってではなくモダン側に延設されているため、眼に対する安全性を確保することができる。
【００１８】
本請求項６に係る考案の眼鏡によれば、請求項１乃至請求項５のいずれか１つに係る考案が奏する効果に加えて、ユーザーが眼鏡を装着する際や装着中においてフロントフレームに対してモダンに外力が作用してテンプルを軸とした回転モーメントが生じた場合であっても並列関係で配設された複数の弾性部材において回転モーメントに対抗する力がより強く生じるため、フロントフレームに対するテンプルを軸としたモダンの捻れ姿勢を抑制してモダンの姿勢をより安定させることができる。
さらに、複数の弾性部材のそれぞれ一端側がテンプルと接続され、それぞれ他端側がフロントフレームと接続されて接続箇所がそれぞれ複数となり、溶着や圧着やろう付けによる接続箇所に作用する負荷が複数箇所に分散するため、弾性部材の数が単数である構成と比べて接続箇所の耐久性や強度を高めることができる。
【図面の簡単な説明】
【００１９】
【図１】本発明の第１実施例である眼鏡を示す斜視図。
【図２】（Ａ）は図１の符号２Ａ−２Ａで視た一部断面図、（Ｂ）は（Ａ）の状態からテンプルが移動した様子を示す一部断面図。
【図３】図１の符号３から視た図。
【図４】図３の符号４から視た平面図。
【図５】（Ａ）（Ｂ）は本発明の第２実施例である眼鏡のコイルばねとその近傍を示す一部断面拡大図。
【図６】（Ａ）（Ｂ）は本発明の第３実施例である眼鏡のコイルばねとその近傍を示す一部断面拡大図。
【考案を実施するための形態】
【００２０】
本考案の眼鏡は、レンズとフロントフレームとテンプルとモダンとを備え、フロントフレームが、レンズよりフレーム幅方向外側のヨロイからテンプル側へ突出した筒状部を有し、テンプルが、モダン側と反対側である基部側先端に弾性部材を有し、テンプルの弾性部材が、フロントフレームの筒状部の内部に挿通された状態でフロントフレーム側と接続され、テンプルの基部側の一部が、フロントフレームの筒状部の内部に入っているとともに、フロントフレームの筒状部の内部に入っているテンプルの基部側の一部の外周面とフロントフレームの筒状部の内周面との間に隙間が設けられている構成であることにより、ユーザーに対して安全性を確保して程よい掛け心地・程よいフィット感を提供することができ、様々なケース・場合に対応することができ、ユーザーが眼鏡を長時間装着し続けた場合であっても痛みなどストレスを殆ど感じることがないようにすることができるものであれば、その具体的な実施態様は、如何なるものであっても構わない。
また、本考案の眼鏡は、レンズとフロントフレームとテンプルとモダンとを備え、フロントフレームが、レンズよりフレーム幅方向外側のヨロイからテンプル側へ突出した棒状突部と、棒状突部の先端側に設けられた弾性部材とを有し、テンプルが、モダン側と反対側である基部側先端に筒状部を有し、弾性部材が、筒状部の内部に挿通された状態でテンプル側と接続され、棒状突部の少なくとも一部が、筒状部の内部に入っているとともに、筒状部の内部に入っている棒状突部の外周面と筒状部の内周面との間に隙間が設けられている構成であることにより、ユーザーに対して安全性を確保して程よい掛け心地・程よいフィット感を提供することができ、様々なケース・場合に対応することができ、ユーザーが眼鏡を長時間装着し続けた場合であっても痛みなどストレスを殆ど感じることがないようにすることができるものであれば、その具体的な実施態様は、如何なるものであっても構わない。
【００２１】
例えば、弾性部材は、ゴムやコイルばねなど弾性変形自在なものであれば如何なるものであっても構わない。
さらに、外周面と内周面との間の隙間は、フレーム幅方向およびフレーム上下方向に設けられていればよく、ユーザー装着前のニュートラルの状態において外周面および内周面の一方が他方と周の一部において接触していてもよい。
また、フロントフレームは、レンズを囲う枠となるリムを有したフルリムタイプ、樹脂製ワイヤーを用いてレンズを保持するハーフリムタイプ、レンズに対してブリッジおよびヨロイをねじ留めしたリムレスタイプ（縁なし、ツーポイント）のいずれでもよい。
さらに、鼻パッドは、リムと一体成形された構成でもよいし、別体に成形された構成でもよい。
さらに、レンズは、左右の眼用に独立した２枚タイプの構成だけでなく、左右の眼に対して共通の１枚タイプの所謂、ゴーグルタイプの構成でもよい。
また、レンズは、度入りの構成に限らず、度なしの構成でもよい。
【実施例１】
【００２２】
以下に、本考案の第１実施例である眼鏡１００について、図１乃至図４に基づいて説明する。
ここで、図１は、本発明の第１実施例である眼鏡１００の全体を示す斜視図であり、図２（Ａ）は、図１の符号２Ａ−２Ａで視た一部断面図であり、図２（Ｂ）は、図２（Ａ）の状態からテンプル１３０が移動した様子を示す一部断面図であり、図３は、図１の符号３から視た図であり、図４は、図３の符号４から視た平面図である。
【００２３】
本考案の第１実施例である眼鏡１００は、図１に示すように、レンズ１１０と、フロントフレーム１２０と、テンプル１３０と、モダン１４０とを備えている。
本実施例では、フロントフレーム１２０は、一例として、リム１２１、ヨロイ１２２（「智」ともいう）、鼻パッド１２３を有したフルリムタイプとして説明する。
リム１２１は、溝を有し、溝にレンズ１１０を係合させて保持するように構成されている。
リム１２１は、樹脂製ワイヤーをレンズ１１０の外周に形成された溝に係合させてレンズ１１０を保持する構成でもよい。
【００２４】
また、鼻パッド１２３は、リム１２１に取り付けられ、ユーザーが眼鏡１００を装着した際にユーザーの鼻と接して眼鏡１００を支持するように設けられている。
テンプル１３０は、「つる」とも呼ばれ、フロントフレーム１２０のヨロイ１２２から延びるように取り付けられている。
さらに、モダン１４０は、「先セル」とも呼ばれ、テンプル１３０のフロントフレーム１２０側である基部側１３０ａと反対側の先端に形成され、ユーザーが眼鏡１００を装着した際にユーザーの耳と接するように設けられている。
なお、モダン１４０は、テンプル１３０と同じ素材で一体成形されている構成でもよいし、テンプル１３０と別素材で別体に形成されている構成でもよい。
【００２５】
さらに、図１および図２（Ａ）に示すように、本実施例では、フロントフレーム１２０が、レンズ１１０よりフレーム幅方向外側のヨロイ１２２からテンプル１３０側へ突出した筒状部１２４を有している。
ここで、筒状部１２４について、ヨロイ１２２に圧着により取り付けた構成でもよいし、溶着により取り付けた構成でもよいし、ヨロイ１２２と一体成形で設けた構成でもよい。
また、テンプル１３０が、モダン１４０側と反対側である基部側１３０ａ先端に弾性部材の一例であるコイルばね１３１を有している。
そして、テンプル１３０に取り付けられたコイルばね１３１が、フロントフレーム１２０の筒状部１２４の内部に挿通された状態でフロントフレーム１２０側と接続されている。
コイルばね１３１とフロントフレーム１２０側との接続は、圧着、接着など如何なる方法でもよい。
また、テンプル１３０の基部側１３０ａの一部が、フロントフレーム１２０の筒状部１２４の内部に入っている。
これとともに、フロントフレーム１２０の筒状部１２４の内部に入っているテンプル１３０の基部側１３０ａの一部の外周面とフロントフレーム１２０の筒状部１２４の内周面との間に隙間Ｄが形成されるように構成されている。
【００２６】
これにより、図２（Ｂ）、図３および図４に示すように、ユーザーが眼鏡１００を装着した状態では、一対のテンプル１３０またはモダン１４０がユーザーの側頭部と接触して外側へ押され、一対のテンプル１３０が隙間Ｄの範囲内で基部側１３０ａを揺動中心にするように外側へ移動するとともに弾性部材の一例であるコイルばね１３１が適度に弾性変形して適度な付勢力が発生する。
その結果、ユーザーに対して程よい掛け心地・程よいフィット感を提供することができる。
また、筒状部１２４が眼に向かってではなくモダン１４０側に延設され、眼近傍に部材がない。
その結果、眼に対する安全性を確保することができる。
【００２７】
さらに、図３に示すように、一対のテンプル１３０が基部側１３０ａを揺動中心とするようにしてそれぞれフレーム幅方向外側だけでなくフレーム上下方向および内側も含む３６０度全方位に移動自在となる。
その結果、様々なケース・場合に対応することができ、ユーザーが眼鏡１００を長時間装着し続けた場合であっても痛みなどストレスを殆ど感じることがないようにすることができる。
【００２８】
例えば、ユーザーが走ったり頭部の向きを急に変えたりなどした際、通常はテンプル１３０を介してユーザーの側頭部へ作用する力が瞬間的に大きくなるが、一対のテンプル１３０が隙間Ｄの範囲内で基部側１３０ａを揺動中心にするように移動するとともに弾性部材の一例であるコイルばね１３１が弾性変形する。
その結果、ユーザーの側頭部へ作用する力を時間的に分散することができる。
また、図４に示すように、一対のテンプル１３０はヨロイ１２２とモダン１４０とを結ぶ前後方向へも弾性部材の弾性変形量の範囲内で移動自在となる。
その結果、モダン１４０がユーザーの耳の後ろ側との接触箇所および鼻パッド１２３との接触箇所に対して作用する力をも時間的に分散することができる。
【００２９】
さらに、本実施例では、前述したように、弾性部材が、コイルばね１３１である。
そして、コイルばね１３１の一端側１３１ａが、フロントフレーム１２０のヨロイ１２２と接続され、コイルばね１３１の他端側１３１ｂが、テンプル１３０の基部側１３０ａと接続されている構成である。
コイルばね１３１の一端側１３１ａとフロントフレーム１２０のヨロイ１２２との接続、および、コイルばね１３１の他端側１３１ｂとテンプル１３０の基部側１３０ａとの接続は、圧着、接着など如何なる方法でもよい。
これにより、コイル状の形状によって弾性変形したときの付勢力が一対のテンプル１３０がそれぞれフレーム幅方向外側だけでなくフレーム上下方向および内側も含む３６０度全方位において略均等になる。
その結果、ユーザーに対する程よい掛け心地・程よいフィット感を簡単に実現することができる。
さらに、ヨロイ１２２とモダン１４０とを結ぶ前後方向へ適度に伸びるように弾性変形自在となる。
その結果、特にユーザーの耳の後ろ側との接触箇所および鼻パッド１２３との接触箇所における掛け心地・程よいフィット感を簡単に実現することができる。
【００３０】
なお、フロントフレーム１２０側に筒状部１２４を固定して設け、テンプル１３０側を筒状部１２４の内部に挿通させて弾性部材としてコイルばね１３１の弾性変形によってテンプル１３０がフロントフレーム１２０および筒状部１２４に対して移動可能に設けたが、筒状部１２４をテンプル１３０側に固定して設けた構成でもよい。
例えば、筒状部１２４の内部に挿通自在な筒状部１２４の内径よりも小さい関係となる細い棒状突部（図示せず）をフロントフレーム１２０のヨロイ１２２側に固定して設け、棒状突部の先端に弾性部材を設け、弾性部材が、テンプル１３０側に設けられた筒状部１２４の内部に挿通された状態でテンプル１３０側と接続され、棒状突部の少なくとも一部が、筒状部１２４の内部に入っているとともに、筒状部１２４の内部に入っている棒状突部の外周面と筒状部１２４の内周面との間に隙間Ｄが設けられている構成でもよい。
この構成である場合も本実施例の構成と同様の効果を得ることができるからである。
また、筒状部１２４の軸方向から視た筒状部１２４の内部の形状は、円形でもよいし四角形などの形状でもよい。
さらに、テンプル１３０の軸方向から視たテンプル１３０の断面形状は、円形でもよいし四角形などの形状でもよい。
また、本実施例では、弾性部材としてのコイルばね１３１の個数を、１つの筒状部１２４に対して１つとしたが、１つの筒状部１２４に対して並列関係で複数個設けてもよい。
例えば、コイルばね１３１を眼鏡１００の上下方向に並列関係で並べて２つ設けてもよい。
これにより、ユーザーが眼鏡１００を装着する際や装着中においてフロントフレーム１２０に対してモダン１４０に外力が作用してテンプル１３０を軸とした回転モーメントが生じた場合であっても並列関係で配設された複数のコイルばね１３１において回転モーメントに対抗する力がより強く生じる。
その結果、フロントフレーム１２０に対するテンプル１３０を軸としたモダン１４０の捻れ姿勢を抑制してモダン１４０の姿勢をより安定させることができる。
さらに、複数のコイルばね１３１のそれぞれ一端側がテンプル１３０と接続され、それぞれ他端側がフロントフレーム１２０と接続されて接続箇所がそれぞれ複数となり、溶着や圧着やろう付けによる接続箇所に作用する負荷が複数箇所に分散する。
その結果、１つの筒状部１２４に対するコイルばね１３１の数が単数である構成と比べて接続箇所の耐久性や強度を高めることができる。
また、左右のそれぞれのヨロイ１２２から突出した筒状部１２４を複数設けて、それぞれに弾性部材としてのコイルばね１３１およびテンプル１３０の一部を挿通させた構成としてもよい。
この構成の場合もモダン１４０の姿勢をより安定させることができるからである。
【００３１】
このようにして得られた本考案の第１実施例である眼鏡１００は、レンズ１１０とフロントフレーム１２０とテンプル１３０とモダン１４０とを備え、フロントフレーム１２０が、レンズ１１０よりフレーム幅方向外側のヨロイ１２２からテンプル１３０側へ突出した筒状部１２４を有し、テンプル１３０が、モダン１４０側と反対側である基部側１３０ａ先端に弾性部材の一例であるコイルばね１３１を有し、テンプル１３０のコイルばね１３１が、フロントフレーム１２０の筒状部１２４の内部に挿通された状態でフロントフレーム１２０側と接続され、テンプル１３０の基部側１３０ａの一部が、フロントフレーム１２０の筒状部１２４の内部に入っているとともに、フロントフレーム１２０の筒状部１２４の内部に入っているテンプル１３０の基部側１３０ａの一部の外周面とフロントフレーム１２０の筒状部１２４の内周面との間に隙間Ｄが設けられている構成であることにより、ユーザーに対して安全性を確保して程よい掛け心地・程よいフィット感を提供することができ、様々なケース・場合に対応することができ、ユーザーが眼鏡１００を長時間装着し続けた場合であっても痛みなどストレスを殆ど感じることがないようにすることができる。
【００３２】
さらに、弾性部材が、コイルばね１３１であり、コイルばね１３１の一端側１３１ａが、フロントフレーム１２０と接続され、コイルばね１３１の他端側１３１ｂが、テンプル１３０の基部側１３０ａと接続されている構成であることにより、ユーザーに対する程よい掛け心地・程よいフィット感を簡単に実現することができ、特にユーザーの耳の後ろ側との接触箇所および鼻パッド１２３との接触箇所における掛け心地・程よいフィット感を簡単に実現することができる。
【００３３】
また、本考案の第１実施例のなお書きに記載した眼鏡は、レンズとフロントフレームとテンプルとモダンとを備え、フロントフレームが、レンズよりフレーム幅方向外側のヨロイからテンプル側へ突出した棒状突部と、棒状突部の先端側に設けられた弾性部材とを有し、テンプルが、モダン側と反対側である基部側先端に筒状部を有し、弾性部材が、筒状部の内部に挿通された状態でテンプル側と接続され、棒状突部の少なくとも一部が、筒状部の内部に入っているとともに、筒状部の内部に入っている棒状突部の外周面と筒状部の内周面との間に隙間が設けられている構成であることにより、ユーザーに対して安全性を確保して程よい掛け心地・程よいフィット感を提供することができ、様々なケース・場合に対応することができ、ユーザーが眼鏡を長時間装着し続けた場合であっても痛みなどストレスを殆ど感じることがないようにすることができる。
【００３４】
さらに、本考案の第１実施例のなお書きに記載した眼鏡は、弾性部材の一例であるコイルばね１３１が、筒状部１２４の内部において並列関係で複数設けられている構成であることにより、フロントフレーム１２０に対するテンプル１３０を軸としたモダン１４０の捻れ姿勢を抑制してモダン１４０の姿勢をより安定させることができ、１つの筒状部１２４に対するコイルばね１３１の数が単数である構成と比べて接続箇所の耐久性や強度を高めることができるなど、その効果は甚大である。
【実施例２】
【００３５】
続いて、本考案の第２実施例である眼鏡２００について、図５（Ａ）および図５（Ｂ）に基づいて説明する。
ここで、図５（Ａ）は、本発明の第２実施例である眼鏡２００のコイルばね２３１とその近傍を示す一部断面拡大図であってテンプル２３０の可動範囲が比較的狭い状態を示す図であり、図５（Ｂ）は、図５（Ａ）のときと比べてテンプル２３０の可動範囲が広い状態を示す図である。
第２実施例の眼鏡２００は、第１実施例の眼鏡１００のコイルばね１３１およびテンプル１３０をねじ機構で移動させてテンプル２３０の可動範囲を調整自在としたものであり、多くの要素について第１実施例の眼鏡１００と共通するので、共通する事項については詳しい説明を省略し、下２桁が共通する２００番台の符号を付すのみとする。
【００３６】
図５（Ａ）および図５（Ｂ）に示すように、コイルばね２３１の一端側２３１ａに設けられた先端ねじ部２３２が、フロントフレーム２２０と螺合している構成である。
より具体的には、コイルばね２３１の一端側２３１ａには、先端ねじ部２３２が取り付けられている。
また、フロントフレーム２２０のヨロイ２２２には、メスねじ部分２２２ａが形成されている。
そして、先端ねじ部２３２が、メスねじ部分２２２ａに螺合されている。
【００３７】
図５（Ｂ）に示すように、図５（Ａ）に示す状態から、テンプル２３０をテンプル２３０の軸を中心に反時計方向へ回転させると、先端ねじ部２３２とメスねじ部分２２２ａとの螺合が緩む。
これとともに、先端ねじ部２３２、コイルばね２３１およびテンプル２３０が、フロントフレーム２２０および筒状部２２４に対して相対的に図５（Ｂ）中の右方向へ移動する。
これにより、テンプル２３０を反時計方向に回して螺合を緩めるとテンプル２３０が揺動する際の筒状部２２４に対する相対的な揺動中心の位置が筒状部２２４入り口に近づくように移動して浅くなってテンプル２３０の可動範囲が広くなる。
その結果、マイルド（ルース）なフィット感にすることができる。
【００３８】
他方、図５（Ｂ）に示す状態から、テンプル２３０を時計方向に回して螺合を締めると、図５（Ａ）に示す状態になり、テンプル２３０が揺動する際の筒状部２２４に対する相対的な揺動中心の位置が筒状部２２４入り口から離れるように移動して深くなってテンプル２３０の可動範囲が狭くなる。
その結果、少々タイトなフィット感にすることができる。
つまり、テンプル２３０を中心軸としてテンプル２３０を時計方向または反時計方向へ回すことによってテンプル２３０の基部側２３０ａがフロントフレーム２２０の筒状部２２４の内部に入る量（長さ）が変化するとともにテンプル２３０が揺動する際の筒状部２２４に対する相対的な揺動中心の位置も変化する。
その結果、テンプル２３０の可動範囲を広くしたり狭くしたり調整することができる。
なお、先端ねじ部２３２とメスねじ部分２２２ａとの螺合は、通常の右ねじ構造（時計方向の回転で締まる構造）としたが逆ねじ構造（反時計方向の回転で締まる構造）でもよいのは勿論である。
また、前述した第１実施例と同様、コイルばね２３１の数を１つの筒状部２２４に対して並列関係で複数設けてもよいのは勿論である。
【００３９】
このようにして得られた本考案の第２実施例である眼鏡２００は、コイルばね２３１の一端側２３１ａに設けられた先端ねじ部２３２が、フロントフレーム２２０のヨロイ２２２のメスねじ部分２２２ａと螺合している構成であることにより、テンプル２３０の可動範囲を広くしたり狭くしたり調整することができるなど、その効果は甚大である。
【実施例３】
【００４０】
続いて、本考案の第３実施例である眼鏡３００について、図６（Ａ）および図６（Ｂ）に基づいて説明する。
ここで、図６（Ａ）は、本発明の第３実施例である眼鏡３００のコイルばね３３１とその近傍を示す一部断面拡大図であってテンプル３３０の可動範囲が比較的広い状態を示す図であり、図６（Ｂ）は、図６（Ａ）のときと比べてテンプル３３０の可動範囲が狭い状態を示す図である。
第３実施例の眼鏡３００は、第１実施例の眼鏡１００の筒状部１２４をねじ機構で移動させてテンプル３３０の可動範囲を調整自在としたものであり、多くの要素について第１実施例の眼鏡１００や第２実施例の眼鏡２００と共通するので、共通する事項については詳しい説明を省略し、下２桁が共通する３００番台の符号を付すのみとする。
【００４１】
図６（Ａ）および図６（Ｂ）に示すように、コイルばね３３１の一端側３３１ａが、フロントフレーム３２０と接続されている。
また、筒状部３２４が、フロントフレーム３２０と螺合している構成である。
より具体的には、筒状部３２４が、外周にオスねじ部分３２４ａを有している。
他方、フロントフレーム３２０のヨロイ３２２には、筒状のメスねじ部分３２２ａが設けられている。
そして、筒状部３２４のオスねじ部分３２４ａが、フロントフレーム３２０のメスねじ部分３２２ａと螺合している。
【００４２】
図６（Ｂ）に示すように、図６（Ａ）に示す状態から筒状部３２４を筒状部３２４の軸を中心に反時計方向へ回転させると、筒状部３２４のオスねじ部分３２４ａとフロントフレーム３２０のメスねじ部分３２２ａとの螺合が緩む。
これとともに、筒状部３２４が、フロントフレーム３２０、コイルばね３３１およびテンプル３３０に対して相対的に図６（Ｂ）中の右方向へ移動する。
これにより、筒状部３２４を反時計方向へ回して螺合を緩めるとテンプル３３０が揺動する際の筒状部３２４に対する相対的な揺動中心の位置が筒状部３２４入り口から離れるように移動して深くなってテンプル３３０の可動範囲が狭くなる。
その結果、少々タイトなフィット感にすることができる。
【００４３】
他方、図６（Ｂ）に示す状態から、筒状部３２４を時計方向へ回して螺合を締めると、図６（Ａ）に示す状態になり、テンプル３３０が揺動する際の筒状部３２４に対する相対的な揺動中心の位置が筒状部３２４入り口に近づくように移動して浅くなってテンプル３３０の可動範囲が広くなる。
その結果、マイルド（ルース）なフィット感にすることができる。
つまり、筒状部３２４を時計方向または反時計方向へ回すことによってテンプル３３０の基部側３３０ａが筒状部３２４の内部に入る量（長さ）が変化するとともにテンプル３３０が揺動する際の筒状部３２４に対する相対的な揺動中心の位置も変化する。
その結果、テンプル３３０の可動範囲を広くしたり狭くしたり調整することができる。
なお、オスねじ部分３２４ａとメスねじ部分３２２ａとの螺合は、通常の右ねじ構造（時計方向の回転で締まる構造）としたが逆ねじ構造（反時計方向の回転で締まる構造）でもよいのは勿論である。
また、前述した第１実施例と同様、コイルばね３３１の数を１つの筒状部３２４に対して並列関係で複数設けてもよいのは勿論である。
【００４４】
このようにして得られた本考案の第３実施例である眼鏡３００は、コイルばね３３１の一端側３３１ａが、フロントフレーム３２０と接続され、筒状部３２４のオスねじ部分３２４ａが、フロントフレーム３２０のヨロイ３２２のメスねじ部分３２２ａと螺合している構成であることにより、テンプル３３０の可動範囲を広くしたり狭くしたり調整することができるなど、その効果は甚大である。
【符号の説明】
【００４５】
１００、  ２００、  ３００  ・・・  眼鏡
１１０                      ・・・  レンズ
１２０、  ２２０、  ３２０  ・・・  フロントフレーム
１２１、  ２２１、  ３２１  ・・・  リム
１２２、  ２２２、  ３２２  ・・・  ヨロイ（智）
２２２ａ、３２２ａ・・・  メスねじ部分
１２３                      ・・・  鼻パッド
１２４、  ２２４、  ３２４  ・・・  筒状部
３２４ａ・・・  オスねじ部分
１３０、  ２３０、  ３３０  ・・・  テンプル（つる）
１３０ａ、２３０ａ、３３０ａ・・・  （テンプルの）基部側
１３１、  ２３１、  ３３１  ・・・  コイルばね（弾性部材）
１３１ａ、２３１ａ、３３１ａ・・・  （コイルばねの）一端側
１３１ｂ、２３１ｂ、３３１ｂ・・・  （コイルばねの）他端側
２３２            ・・・  先端ねじ部
１４０                      ・・・  モダン（先セル）
Ｄ  ・・・（テンプルの外周側と筒状部の内周側との間の）隙間
【図１】
0003222217.tif 000003
【図２】
0003222217.tif 000004
【図３】
0003222217.tif 000005
【図４】
0003222217.tif 000006
【図５】
0003222217.tif 000007
【図６】
0003222217.tif 000008